(57)【要約】【課題】容易に嵌合することができるコネクタを提供する。【解決手段】コネクタ１は、プラグコネクタハウジング１０とレセプタクルコネクタハウジング２０とから構成され、嵌合本体部１１の一方の側壁９ａの外面には第１ハウジングピン３０が、他方の側壁９ｂの外面側には第１プレート４０が備えられ、嵌合部２１の一方の壁部８ａの外面には第２ハウジングピンが、他方の壁部８ｂの外面側には第２プレート５０がそれぞれ備えられている。第１及び第２プレート４０，５０には、第１及び第２ハウジングピン３０，３２が両コネクタハウジング１０，２０の嵌合方向に移動可能となるように第１及び第２プレートスリット部４５，５５が形成されている。嵌合時には第１ハウジングピン３０が第２プレート５０に、第２ハウジングピン３２が第１プレート４０にそれぞれ挿入され、両コネクタハウジング１０，２０の位置決めが行われると共に第１及び第２プレート４０，５０を把持して容易に嵌合することができる。【選択図】  図１
2004199961.tif 000002
【特許請求の範囲】
【請求項１】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、前記側壁のうち、一対の対向する側壁のうちの一方の側壁の外面に形成された、前記外面から離れる方向の先端側に鍔部を備える第１ハウジングピンと、他方の側壁の外面側に備えられた前記レセプタクルコネクタハウジングとの嵌合方向に延びる第１プレートとを備え、
前記レセプタクルコネクタハウジングは、
壁部を有しこの壁部に沿って前記プラグコネクタハウジングの嵌合本体部が内側に嵌合する嵌合部と、前記壁部のうち、一対の対向する壁部のうちの一方の壁部の外面に形成された前記外面から離れる方向の先端側に鍔部を備える第２ハウジングピンと、他方の壁部の外面側に備えられた前記プラグコネクタハウジングとの嵌合方向に延びる第２プレートとを備え、
前記第１及び第２プレートは、それぞれの前記嵌合方向の先端部から前記プラグ及びレセプタクルコネクタハウジングの完全嵌合位置まで両コネクタハウジングの嵌合時に前記第１及び第２ハウジングピンがそれぞれスライド自在に移動するためのプレートスリット部を備えてなる
ことを特徴とするコネクタ。
【請求項２】
前記嵌合部は、前記他方の壁部に前記プラグコネクタハウジングとの嵌合方向の先端部から前記完全嵌合位置まで前記第１ハウジングピンがスライド自在に移動するためのスリット部を備え、
前記第２プレートは、前記スリット部が備えられた他方の壁部の外面側に、前記スリット部のスリット形状と前記プレートスリット部のスリット形状とがそれぞれスリット終端側を基準としてそのスリット部分が重なり合うような状態となるように備えられていることを特徴とする請求項１記載のコネクタ。
【請求項３】
前記第１及び第２プレートは、前記プラグ及びレセプタクルコネクタハウジングの完全嵌合時にそれぞれのプレート面が平行となる状態で前記嵌合本体部の側壁の外面側又は前記嵌合部の壁部の外面側に備えられていることを特徴とする請求項１又は２記載のコネクタ。
【請求項４】
前記第１及び第２プレートは、それぞれ前記プレートスリット部のスリット終端側の外側プレート面に外部に延出する第１レバー部を備えてなることを特徴とする請求項１〜３のいずれか１項記載のコネクタ。
【請求項５】
前記第１及び第２ハウジングピンは、それぞれハウジングピンの先端側から外部に延出する第２レバー部を備えてなることを特徴とする請求項１〜４のいずれか１項記載のコネクタ。
【請求項６】
前記第１及び第２プレートは、それぞれ前記プラグ及びレセプタクルコネクタハウジングと一体成型により形成されて前記嵌合本体部又は嵌合部に備えられていることを特徴とする請求項１〜５のいずれか１項記載のコネクタ。
【請求項７】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、前記側壁のうち、一対の対向する側壁のうちの一方の側壁の外面側に備えられた前記レセプタクルコネクタハウジングとの嵌合方向に延びる第１プレートとを備え、
前記レセプタクルコネクタハウジングは、
壁部を有しこの壁部に沿って前記プラグコネクタハウジングの嵌合本体部が内側に嵌合する嵌合部と、前記壁部のうち、一対の対向する壁部のうちの一方の壁部の外面側に備えられた前記プラグコネクタハウジングとの嵌合方向に延びる第２プレートとを備え、
前記第１及び第２プレートを引っ張ることで前記プラグ及びレセプタクルコネクタハウジングを互いに嵌合させる
ことを特徴とするコネクタ。
【発明の詳細な説明】
【０００１】
【発明の属する技術分野】
この発明は、プラグコネクタハウジング及びレセプタクルコネクタハウジング同士を相互に容易に嵌合させたり、離脱させたりすると共に位置決めすることができるコネクタに関する。
【０００２】
【従来の技術】
現在、エレクトロニクス化の急速な発展により、例えば自動車に搭載されるワイヤハーネスなどにおいても回路数（電線数）が年々増加する傾向にある。回路数の増加に伴い、ワイヤハーネスの端末部に取り付けられるコネクタも多極化（内蔵接続端子数の増加）が進展し、図７に示すような多極コネクタが多く使用されるようになってきた。この多極コネクタ１００は、内部に複数のレセプタクル接続端子（図示せず）を収容するための端子収容孔１０１が形成されたプラグコネクタハウジング１１０と、このプラグコネクタハウジング１１０が内側に嵌合すると共に内部に複数のプラグ接続端子１０２を収容するための端子収容孔（図示せず）が形成されたレセプタクルコネクタハウジング１２０と、このレセプタクルコネクタハウジング１２０に別途取り付けられたレバー１３０とから構成されている。この多極コネクタ１００のように、接続する接続端子数が増えれば、プラグコネクタハウジング１１０及びレセプタクルコネクタハウジング１２０同士の嵌合時／離脱時の接触抵抗が増加するため、両者の嵌合時の挿入力及び離脱時の引抜力もより高くなってしまう。そこで、これらの挿入力及び引抜力を低く抑えるために、レバー１３０等の倍力機構を備え、例えばプラグコネクタハウジング１１０の側面に突起１１１を形成し、レバー１３０にこの突起１１１と嵌合すると共にこの突起１１１をレセプタクルコネクタハウジング１２０の奥側に移動させるための溝１２１を形成して、レバー１３０を動かすことによりてこの原理を利用して両者を嵌合／離脱するようにしたいわゆるレバー式コネクタが知られている（例えば、特許文献１及び２参照。）。
【０００３】
【特許文献１】
特許第２７６２８９７号公報（第２−３頁、第１−５図）
【特許文献２】
特許第２９５６４９８号公報（第３−５頁、第１−１２図）
【０００４】
【発明が解決しようとする課題】
しかしながら、このようなレバー式コネクタに備えられているレバー等の倍力機構は、その倍力機構を動作させるためのスペースを確保する必要があると共にてこの作用を大きくするために倍力機構を大きく（例えば、レバー１３０を大きくしたり、溝１２１を長くしたり）構成しなければならないため、レバー式コネクタ自体が大きくなる傾向にある。また、レバー式コネクタでは、プラグコネクタハウジング１１０及びレセプタクルコネクタハウジング１２０の他に別部品でレバー１３０を製造しコネクタに取り付けなければならないため、別途レバー成型金型などの製造設備が必要となると共にレバー成型金型が複雑なものとなるため安価に製造することが困難である。更に、レバー１３０やこのレバー１３０に引っ掛かる突起１１１で両コネクタハウジング１１０，１２０の位置決めを兼ねる場合があるため、位置決め構造が複雑化し位置決めのための機構も複雑となる場合がある。
【０００５】
この発明は、このような事情に鑑みてなされたもので、適度な大きさで安価に製造することができると共に簡単な構造で位置決め機構を備え、容易に嵌合することができるコネクタを提供することを目的とする。
【０００６】
【課題を解決するための手段】
この発明に係る第１のコネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、前記側壁のうち、一対の対向する側壁のうちの一方の側壁の外面に形成された、前記外面から離れる方向の先端側に鍔部を備える第１ハウジングピンと、他方の側壁の外面側に備えられた前記レセプタクルコネクタハウジングとの嵌合方向に延びる第１プレートとを備え、前記レセプタクルコネクタハウジングは、壁部を有しこの壁部に沿って前記プラグコネクタハウジングの嵌合本体部が内側に嵌合する嵌合部と、前記壁部のうち、一対の対向する壁部のうちの一方の壁部の外面に形成された前記外面から離れる方向の先端側に鍔部を備える第２ハウジングピンと、他方の壁部の外面側に備えられた前記プラグコネクタハウジングとの嵌合方向に延びる第２プレートとを備え、前記第１及び第２プレートは、それぞれの前記嵌合方向の先端部から前記プラグ及びレセプタクルコネクタハウジングの完全嵌合位置まで両コネクタハウジングの嵌合時に前記第１及び第２ハウジングピンがそれぞれスライド自在に移動するためのプレートスリット部を備えてなることを特徴とする。
【０００７】
この発明の第１のコネクタによれば、プラグコネクタハウジングの嵌合本体部の他方の側壁の外面側に備えられた第１プレートと、レセプタクルコネクタハウジングの嵌合部の他方の壁部の外面側に備えられた第２プレートとが、それぞれ両コネクタハウジングの嵌合に際して嵌合本体部及び嵌合部の一方の側壁及び壁部の外面に形成された第１及び第２ハウジングピンがスライド自在に移動するためのプレートスリット部を備えると共にこれら第１及び第２ハウジングピンが先端側に例えば幅広となる鍔部を備えて構成される。このため、両コネクタハウジングの嵌合に際しては、プラグコネクタハウジングの第１ハウジングピンがレセプタクルコネクタハウジングの第２プレートのプレートスリット部にスライド自在に嵌ると共に、レセプタクルコネクタハウジングの第２ハウジングピンがプラグコネクタハウジングの第１プレートのプレートスリット部にスライド自在に嵌るため、両コネクタハウジングの完全嵌合位置までの位置決めがなされる。また、嵌合時に、例えば第１及び第２プレートを把持して互いに反対方向に引っ張れば、両コネクタハウジングを容易に嵌合することができる。これにより、従来のレバー等の部品を不要として、複雑な位置決め機構を簡素化する簡単な位置決め構造を安価に備え、容易に嵌合することができるコネクタを実現することが可能となる。
【０００８】
なお、レセプタクルコネクタハウジングの嵌合部は、他方の壁部にプラグコネクタハウジングとの嵌合方向の先端部から完全嵌合位置まで第１ハウジングピンがスライド自在に移動するためのスリット部を備え、第２プレートは、スリット部が備えられた他方の壁部の外面側に、スリット部のスリット形状とプレートスリット部のスリット形状とがそれぞれスリット終端側を基準としてそのスリット部分が重なり合うような状態となるように備えられていることが好ましい。
【０００９】
また、第１及び第２プレートは、プラグ及びレセプタクルコネクタハウジングの完全嵌合時にそれぞれのプレート面が平行となる状態で嵌合本体部の側壁の外面側又は嵌合部の壁部の外面側に備えられていることが好ましい。
【００１０】
この場合、第１及び第２プレートは、それぞれプレートスリット部のスリット終端側の外側プレート面に外部に延出する第１レバー部を備えてなることが好ましい。例えば、第１レバー部を持って両コネクタハウジング同士を嵌合するようにすれば、嵌合動作がし易くなる。
【００１１】
また、第１及び第２ハウジングピンは、それぞれハウジングピンの先端側から外部に延出する第２レバー部を備えてなることが好ましい。例えば、第２レバー部を持って両コネクタハウジング同士を嵌合するようにしても、嵌合動作を行い易くすることができる。
【００１２】
なお、第１及び第２プレートは、それぞれプラグ及びレセプタクルコネクタハウジングと一体成型により形成されて嵌合本体部又は嵌合部に備えられていても良い。一体成形で寸法精度などを向上させることが期待できる。
【００１３】
また、この発明に係る第２のコネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、前記側壁のうち、一対の対向する側壁のうちの一方の側壁の外面側に備えられた前記レセプタクルコネクタハウジングとの嵌合方向に延びる第１プレートとを備え、前記レセプタクルコネクタハウジングは、壁部を有しこの壁部に沿って前記プラグコネクタハウジングの嵌合本体部が内側に嵌合する嵌合部と、前記壁部のうち、一対の対向する壁部のうちの一方の壁部の外面側に備えられた前記プラグコネクタハウジングとの嵌合方向に延びる第２プレートとを備え、前記第１及び第２プレートを引っ張ることで前記プラグ及びレセプタクルコネクタハウジングを互いに嵌合させることを特徴とする。
【００１４】
この発明の第２のコネクタによれば、プラグコネクタハウジングの嵌合本体部の一方の側壁の外面側に備えられた第１プレートと、レセプタクルコネクタハウジングの嵌合部の一方の壁部の外面側に備えられた第２プレートとを、それぞれ両コネクタハウジングの嵌合に際して例えば把持して互いに反対方向に引っ張り両コネクタハウジングを嵌合させるため、両コネクタハウジングを容易に嵌合することができる。これにより、従来のレバー等の部品を不要として、容易に嵌合することができるコネクタを実現することが可能となる。
【００１５】
【発明の実施の形態】
以下、添付の図面を参照して、この発明の好ましい実施の形態を説明する。
図１は、この発明の一実施形態に係るコネクタを示す外観斜視図、図２は、このコネクタにおける嵌合動作を説明するための一部断面図である。
図１及び図２に示すように、コネクタ１は、プラグコネクタハウジング１０と、レセプタクルコネクタハウジング２０とから構成されている。プラグコネクタハウジング１０は、側壁９ａ，９ｂを有しこの側壁９ａ，９ｂに沿ってレセプタクルコネクタハウジング２０と嵌合する嵌合本体部１１と、この嵌合本体部１１の両側壁９ａ，９ｂのうち、例えば一方の側壁９ａの外面に形成された先端側が幅広となる鍔部３１を備える第１ハウジングピン３０と、他方の側壁９ｂの外面側に固定ピン６を介して固定されたレセプタクルコネクタハウジング２０との嵌合方向に延びる第１プレート４０とから構成されている。このプラグコネクタハウジング１０には、例えば複数のレセプタクル接続端子４（図２参照）をプラグコネクタハウジング１０内に収容するための複数の端子収容孔７が形成されている。また、プラグコネクタハウジング１０には、レセプタクルコネクタハウジング２０との完全嵌合時に両コネクタハウジング１０，２０を係止固定するためのロック機構を後述するロック凹部と共に構成するロック凸部１２を有する弾性ロック片１３が形成されている。
【００１６】
一方、レセプタクルコネクタハウジング２０は、壁部８ａ，８ｂを有しこの壁部８ａ，８ｂに沿ってプラグコネクタハウジング１０の嵌合本体部１１が内側に嵌合する縦断面が凹状の嵌合部２１と、この嵌合部２１の両壁部８ａ，８ｂのうち、例えば一方の壁部８ａの外面に形成された先端側が幅広となる鍔部３３を備える第２ハウジングピン３２と、他方の壁部８ｂの外面側に固定ピン５を介して固定されたプラグコネクタハウジング１０との嵌合方向に延びる第２プレート５０とから構成されている。このレセプタクルコネクタハウジング２０には、例えば複数のプラグ接続端子３をレセプタクルコネクタハウジング２０内に収容するための複数の端子収容孔１７（図２参照）が形成されている。また、レセプタクルコネクタハウジング２０には、プラグコネクタハウジング１０との完全嵌合時に両コネクタハウジング１０，２０を係止固定するためのロック機構を上記ロック凸部１２と共に構成するロック凹部２２が形成されている。
【００１７】
プラグコネクタハウジング１０に備えられた第１プレート４０は、レセプタクルコネクタハウジング２０との嵌合方向先端部４１から完全嵌合位置まで、レセプタクルコネクタハウジング２０との嵌合に際して嵌合部２１の第２ハウジングピン３２と対応する位置に、第２ハウジングピン３２がスライド自在に移動することができるように形成された第１プレートスリット部４５を備えている。同様に、レセプタクルコネクタハウジング２０に備えられた第２プレート５０は、プラグコネクタハウジング１０との嵌合方向先端部５１から完全嵌合位置まで、プラグコネクタハウジング１０との嵌合に際して嵌合本体部１１の第１ハウジングピン３０と対応する位置に、第１ハウジングピン３０がスライド自在に移動することができるように形成された第２プレートスリット部５５を備えている。
【００１８】
このように構成されたコネクタ１における両コネクタハウジング１０，２０の嵌合動作は、図２に示すようにして行われる。まず、同図（ａ）に示すように、プラグコネクタハウジング１０の嵌合本体部１１の第１ハウジングピン３０がレセプタクルコネクタハウジング２０の嵌合部２１の第２プレート５０の第２プレートスリット部５５に挿入されると共に、嵌合部２１の第２ハウジングピン３２が嵌合本体部１１の第１プレート４０の第１プレートスリット部４５に挿入されるように、両コネクタハウジング１０，２０を嵌合方向に近づける。そして、同図（ｂ）に示すように、第１及び第２ハウジングピン３０，３２がそれぞれ第１及び第２プレート４０，５０の第１及び第２プレートスリット部４５，５５に挿入されると、プラグコネクタハウジング１０の嵌合本体部１１とレセプタクルコネクタハウジング２０の嵌合部２１との嵌合に際する位置決めがなされるため、例えば第１及び第２プレート４０，５０のそれぞれの嵌合方向先端部４１，５１の近傍を把持して、図中矢印方向へそれぞれ引っ張り嵌合本体部１１と嵌合部２１との嵌合を図ることができる。なお、第１及び第２ハウジングピン３０，３２の鍔部３１，３３は、嵌合本体部１１及び嵌合部２１がそれぞれ嵌合時に嵌合方向とほぼ直交する方向にずれて嵌合されてしまうことを防止するものである。このとき、プラグコネクタハウジング１０のレセプタクル接続端子４とレセプタクルコネクタハウジング２０のプラグ接続端子３とが僅かに嵌合した接続端子初期嵌合状態においては、第１及び第２プレート４０，５０を引っ張る力を大きくしなければ嵌合は進まないが、第１及び第２ハウジングピン３０，３２と第１及び第２プレート４０，５０とで両コネクタハウジング１０，２０の嵌合位置決めはなされているため、容易に嵌合を行うことが可能となる。同図（ｃ）は、このようにして完全嵌合された両コネクタハウジング１０，２０を示している。
【００１９】
このように、このコネクタ１によれば、両コネクタハウジング１０，２０の嵌合動作のなかで、第１及び第２ハウジングピン３０，３２と第１及び第２プレート４０，５０とが嵌合位置決めの役割を果たすと共に、第１及び第２プレート４０，５０を、例えば把持して引っ張るという簡単な動作で容易に完全嵌合することが可能となる。
【００２０】
なお、この例では、第１及び第２プレート４０，５０が、それぞれ固定ピン６，５を介して嵌合本体部１１の側壁９ｂ及び嵌合部２１の壁部８ｂに固定されている構造としたが、図３に示すように、第１及び第２プレート４０，５０が嵌合本体部１１の側壁９ｂ及び嵌合部２１の壁部８ｂに一体成型で形成され固定されていても良い。また、嵌合本体部１１の側壁９ｂ及び嵌合部２１の壁部８ｂに、それぞれ第１及び第２ハウジングピン３０，３２が挿入されるスリット部（図示せず）が形成されている場合、第１及び第２プレート４０，５０は、第１及び第２プレートスリット部４５，５５のスリット形状が嵌合本体部１１及び嵌合部２１のスリット部のスリット形状とスリット終端側を基準として重なり合うような状態で固定されていると良い。更に、この場合、第１及び第２プレート４０，５０は、そのプレート面が互いに平行となる状態で嵌合本体部１１及び嵌合部２１のスリット部が形成された側壁９ｂ及び壁部８ｂに固定されていると良い。
【００２１】
図４は、この発明の他の実施形態に係るコネクタを示す外観斜視図である。なお、以降において、既に説明した部分と重複する説明は割愛する。
図４に示すように、このコネクタ２は、第１及び第２プレート４０，５０の第１及び第２プレートスリット部４５，５５のスリット終端側の外側プレート面に、例えば外部にそれぞれ延出する第１レバー部２８ａ，２８ｂが備えられている点が、先の例のコネクタ１と相違している。このコネクタ２によれば、両コネクタハウジング１０，２０の嵌合に際して、第１及び第２プレート４０，５０の嵌合方向先端部４１，５１の近傍を把持する代わりに、第１レバー部２８ａ，２８ｂを握って嵌合することができるため、上記コネクタ１と同様嵌合動作をやり易くすることができる。
【００２２】
図５は、この発明の更に他の実施形態に係るコネクタを示す外観斜視図である。
図５に示すように、このコネクタ２´は、第１及び第２ハウジングピン３０，３２の鍔部３１，３３から、外部にそれぞれ延出する第２レバー部２９ａ，２９ｂが備えられている点が、先の例のコネクタ２と相違している。このコネクタ２´によれば、両コネクタハウジング１０，２０の嵌合に際して、第１レバー部２８ａ，２８ｂのみならず第２レバー部２９ａ，２９ｂをも握って嵌合することができるため、ハウジング同士の嵌合を容易に行うことができる。
【００２３】
図６は、この発明の更に他の実施形態に係るコネクタを示す外観斜視図である。
図６に示すように、このコネクタ２ａは、第１及び第２プレート４０，５０の基端部側から、外部にそれぞれ延出する形状で形成された板状の第３レバー部２７ａ，２７ｂが備えられている点が、先の例のコネクタ２´と相違している。このコネクタ２ａによれば、両コネクタハウジング１０，２０の嵌合に際して、第１レバー部２８ａ，２８ｂのみならず第３レバー部２７ａ，２７ｂをも把持して嵌合することができるため、ハウジング同士の嵌合を容易に行うことができる。
【００２４】
【発明の効果】
以上述べたように、この発明の第１のコネクタによれば、プラグコネクタハウジングの嵌合本体部の他方の側壁の外面側に備えられた第１プレートと、レセプタクルコネクタハウジングの嵌合部の他方の壁部の外面側に備えられた第２プレートとが、それぞれ両コネクタハウジングの嵌合に際して嵌合本体部及び嵌合部の一方の側壁及び壁部の外面に形成された第１及び第２ハウジングピンがスライド自在に移動するためのプレートスリット部を備えると共にこれら第１及び第２ハウジングピンが先端に幅広となる鍔部を備えて構成される。このため、両コネクタハウジングの嵌合に際しては、プラグコネクタハウジングの第１ハウジングピンがレセプタクルコネクタハウジングの第２プレートのプレートスリット部にスライド自在に嵌ると共に、レセプタクルコネクタハウジングの第２ハウジングピンがプラグコネクタハウジングの第１プレートのプレートスリット部にスライド自在に嵌るため、両コネクタハウジングの完全嵌合位置までの位置決めがなされる。また、嵌合時に、例えば第１及び第２プレートを把持して互いに反対方向に引っ張れば、両コネクタハウジングを容易に嵌合することができる。これにより、従来のレバー等の部品を不要として、複雑な位置決め機構を簡素化する簡単な位置決め構造を安価に備え、容易に嵌合することができるコネクタを実現することが可能となるという効果を奏する。
【００２５】
また、この発明の第２のコネクタによれば、プラグコネクタハウジングの嵌合本体部の一方の側壁の外面側に備えられた第１プレートと、レセプタクルコネクタハウジングの嵌合部の一方の壁部の外面側に備えられた第２プレートとを、それぞれ両コネクタハウジングの嵌合に際して例えば把持して互いに反対方向に引っ張り両コネクタハウジングを嵌合させるため、両コネクタハウジングを容易に嵌合することができる。これにより、従来のレバー等の部品を不要として、容易に嵌合することができるコネクタを実現することが可能となるという効果を奏する。
【図面の簡単な説明】
【図１】本発明の一実施形態に係るコネクタを示す外観斜視図である。
【図２】同実施形態に係るコネクタにおける嵌合動作を説明するための一部断面図である。
【図３】同実施形態に係るコネクタの一部の構造を変更した場合を示す外観斜視図である。
【図４】本発明の他の実施形態に係るコネクタを示す外観斜視図である。
【図５】本発明の更に他の実施形態に係るコネクタを示す外観斜視図である。
【図６】本発明の更に他の実施形態に係るコネクタを示す外観斜視図である。
【図７】従来の低挿入力コネクタを示す外観斜視図である。
【符号の説明】１，２，２´，２ａ…コネクタ、３…プラグ接続端子、４…レセプタクル接続端子、５，６…固定ピン、７，１７…端子収容孔、８…壁部，９…側壁、１０…プラグコネクタハウジング、１１…嵌合本体部、１２…ロック凸部、１３…弾性ロック片、２０…レセプタクルコネクタハウジング、２１…嵌合部、２２…ロック凹部、２８…第１レバー部、２９…第２レバー部、３０…第１ハウジングピン、３１，３３…鍔部、３２…第２ハウジングピン、４０…第１プレート、４１，５１…嵌合方向先端部、４５…第１プレートスリット部、５０…第２プレート、５５…第２プレートスリット部。
【図１】
2004199961.tif 000003
【図２】
2004199961.tif 000004
【図３】
2004199961.tif 000005
【図４】
2004199961.tif 000006
【図５】
2004199961.tif 000007
【図６】
2004199961.tif 000008
【図７】
2004199961.tif 000009